(57)【要約】【課題】カップインしたゴルフボールをカップから取り出すとき、パター等のゴルフクラブの上端に本ボール用マーカーを取り付け、カップ内のボールを押し付けることによりクッション層のある粘着片によって接着(保持)する。これにより、腰を曲げたり、しゃがみ込む等の姿勢を崩すことなく、容易にゴルフボールをカップから取り出すことが可能なボールピックアップ用マーカーを提供する。【解決手段】ボールマーカー１は、円形状の基板２を凹面状とし、内面にゴルフボール１０を接着(保持)する接着部(粘着片５等)を凹面状の外周より低位置に接着し、ゴルフクラブ７のグリップ先端の小孔９にピン状の埋め込み部３を挿し込む構成とする。【選択図】図１
0003129271.tif 000002
【実用新案登録請求の範囲】
【請求項１】
基板と、この基板の下面側から垂下してなるグリーン面に埋め込み可能なピン状埋め込み部とを備えた、球技用ボールを拾い上げるボールマーカーであって、該基板天面に少なくとも該基板よりは小面積の粘着片が貼着されてなることを特徴とするボールピックアップ用マーカー。
【請求項２】
粘着片は、使用に際して剥離可能な剥離紙を備えたクッションシートであることを特徴とする請求項1のボールピックアップ用マーカー。
【請求項３】
粘着片は、その中心部に小穴が設けられて空気溜りの発生を抑えてボールへの粘着力を向上せしめることを特徴とする請求項1又は２のボールピックアップ用マーカー。
【請求項４】
基板は、天面が凹面を呈してなるものであることを特徴とする請求項1又は２のボールピックアップ用マーカー。
【考案の詳細な説明】
【技術分野】
【０００１】
本考案は、クラブ又はパターのグリップに着脱自在でき、カップインしたボールを拾い上げる時姿勢を曲げることなく、ボールの取上げ可能な球状体のピックアップ用マーカーに関する。
本考案のボールピックアップマーカーは、老人や腰痛持ちの人は、腰を曲げることを必要としないので、ボールピックアップのために腰に負担をかけることなく、楽しくプレーすることができる。
本考案における球技用ボールとは、ゴルフボールやパークゴルフ等、ホールにボールを沈めることを特徴とする球技に使用するボールの全てを意味する。
【背景技術】
【０００２】
従来、球技用ボールでは、例えばカップインしたゴルフボールをカップから取り出すときは、手をカップの中に差し入れて取り出すのが一般的で、ボールの汚れが手についたり、腰をかがめることにより腰痛の発生の要因ともなっていた。
これを改善するために、ゴルフボールを拾い上げる「ゴルフボールピックアップ器」や「ゴルフボール挟持器具」等も提案されているが、いずれの器具も部品としてゴルフボール程度の大きさとなり、着脱に手間がかかり、使い勝手のよいものではなかった。
【０００３】
例えば、実用新案登録第3006654号では、グリップ先端の小孔に挿入されるピン部として、Ｔマーカーのピン部を用い、頭部が保持部に対して接着剤で着脱式に連結された構造のものであるが、このマーカーは、マーカー以外に保持部品が増加し、着脱に手間がかかり、しかも保持部でゴルフボールを拾い上げるには、スプリングアクションで抑えるためゴルフボールの大きさにほぼ近くなり、プレーのとき保持部が邪魔になっていた。
【０００４】
また、特開平10-57528号公報では、ゴルフパターのグリップエンドに取り付け、パターを逆さにして、弾力性のある爪をボールに押し付けて広げ、ボールをつかませて拾い上げる取付けや取外しが自在の着脱式ボールキャッチャーであるが、構造が複雑であり、部品の着脱に時間がかかり、グリップにマーカーが付いていると、マーカーとの入れ替えの手間がかかり、プレーの進行速度に支障を来たす恐れがあった。
【０００５】
さらに、特開2001-137411号公報のものは、ゴルフゲームに携行するゴルフマーカー、ゴルフティ、グリーンフォークの用品にゴルフボールaの外周面に出来た傷やバリを削り取る研磨材を設けたものであり、ボールを拾い上げる機能はなかった。
【０００６】
特開2005-261769号公報に示されているゴルフボールマーカーは、円形の外形を有する円盤体と軸体とから構成されており、円盤体は、中央に設けられた基部と、該基部を中心として配置された環状体と、前記基部と環状体との間に設けられた複数枚の羽根体を有し、軸体は、円盤体の基部中央に略垂直に設けられた棒状体であって、尖塔形状や半球形状に形成された先端部を有し、指でつまめる程度の軸径に形成されているが、このマーカーは飛ばして遊んだり、風向きを知ることができるものであってもゴルフボールを拾い上げる機能はなかった。
【０００７】
【特許文献１】実用新案登録第3006654号公報
【特許文献２】特開平10-57528号公報
【特許文献３】特開2001-137411号公報
【特許文献４】特開2005-261769号公報
【考案の開示】
【考案が解決しようとする課題】
【０００８】
従来のゴルフボールマーカーでは、ゴルフボールを拾い上げるとき、組み立て部品の着脱が必要となり、時間もかかり、プレーに支障を来たすものであり、容易に且つ簡単にボールを拾い上げる経済的な器具は存在しなかった。
そこで、本考案者は、クラブ又はパターのグリップに着脱自在に出来、カップインしたゴルフボール等の球状体を拾い上げる時姿勢を曲げることなく、球状体の取出し回収可能な、簡単構造のゴルフやパークゴルフのボールのピックアップ用マーカーの提供を課題とする。
【課題を解決するための手段】
【０００９】
本考案では、上記課題を解決するために、基板とこの基板の下面側から垂下しグリーン面に埋め込み可能なピン状埋め込み部を備えた、ボール状、球形体(ゴルフボール及びパークゴルフボール)を拾い上げるボールマーカーに係るもので、このマーカーにゴルフボールをくっつけてピックアップを容易にするボールマーカーを提供する。
【００１０】
すなわち、本考案のボールマーカーは、基板の天面にクッション層を持つ粘着片を貼着し、パターのグリップエンド部の小孔に該ピン状の埋め込み部を嵌合せしめておき、使用前には、粘着片の表面に粘着面を覆う剥離紙を配置しておき、パター時には、ボールマーカーとして、カップインしたボールの取出しのときには、パターのグリップエンド部側をホールに差し込み、ボールマーカーの天面の粘着部にゴルフボールをくっつけてピックアップするものである。
【考案の効果】
【００１１】
本考案のボールマーカーでは、ゴルフクラブのグリップエンド部にある小孔にマーカーの垂下部を挿し込むことにより簡単にゴルフクラブ７に取り付けられ、ゴルフボール等の球状体の取出し時には、該グリップエンド部をほぼ垂直にしてカップインしたゴルフボールの上面に接触させると、ボールマーカーの基板の天面に貼着された粘着片の持つ粘着部がゴルフボールに粘着保持されることとなって、簡単にゴルフボールを拾い上げることができる。このようにゴルフボールを取り出すときには、腰を曲げる必要がなく、高齢者や腰痛持ちの場合でも、容易に取出し可能である。しかも、このボールマーカーは、既存のボールマーカーの天面に粘着片を取り付けるだけであるから、きわめて経済的に形成できる。
【本考案の最良の実施態様】
【００１２】
本考案のボールマーカーを図面で説明する。
図１は、ボールピックアップ用マーカーの斜視図、図２は、小穴を設けた粘着片の斜視図、図３は、ボールピックアップ用マーカー断面図、図４は、グリップ部の断面図、図５は、ボールをピックアップする使用図、図６は、本考案他の実施例、四角形の基板と粘着片、図７は、本考案他の実施例、六角形の基板と粘着片、図8は、本考案他の実施例、花びら状の基板と粘着片を示す。
【００１３】
本考案のボールマーカー１は、基板２と、この基板２の下面側から垂下しグリーン面に埋め込み可能なピン状埋め込み部３を備えた、ボール状、球形体(ゴルフボール及びパークゴルフボール)を拾い上げるボールマーカー１に係るものであり、基板２の天面にはクッション層１２を持つ粘着片5を貼着し、パターのグリップエンド部の小孔９に該ピン状の埋め込み部３を嵌合可能になっている。
【００１４】
一番最初の使用の前には、該粘着片５の表面に粘着面の保護のために剥離紙１３を被覆しておき、適宜パター時のボールマーカーとして使用し、カップインしたボール１０の取出しのときには、パターのグリップエンド部側をカップ１１にほぼ垂直に差し込み、ボールマーカー１の天面の粘着部にゴルフボール１０の頂部をくっつけてピックアップすることとなる。
【００１５】
また、粘着片５の中心部に小穴６が設けられていると、ゴルフボール１０の保持時にゴルフボール１０と粘着片５に空気溜りの発生が少なく粘着力が向上する効果がある。
また、基板２の天面は、上に向かって若干凹面を呈していても良く、この曲率は、ゴルフボール１０の曲率半径と略同等とすることによって、ゴルフボール１０に粘着片５が全面に押圧されて粘着力が向上してゴルフボールを確実に保持するが、ボールマークの本来のマーク機能が損なわれることにもなるので、その曲率はこの点を調和して定める必要がある。
【００１６】
上述するように若干凹面の基板の天面に貼着した粘着片５の周縁部は、基板２の天面の外周辺より高低差を設けて低くすることで、ボールピックアップ用マーカーを付けたままゴルフバックに入れても、粘着片５がゴルフバックの汚れた底面に接触することがないので、ボールピックアップ用マーカーが外れたり、ゴミの付着機会が少なくなる効果がある。
【００１７】
粘着片５の外形は、φ8mm〜φ12mm程度であるから、ボールピックアップ用マーカーは粘着片５が中に収まる大きさとなり、グリップ８の径より大きくなることは無く、ボールピックアップ用マーカーをグリップ８に付けたままでも邪魔にならず、且つ、ゴルフボール１０を拾い上げるには十分な保持力を保つ効果がある。
ただ、粘着片の粘着力は、ハーフラウンド(ピックアップ数9回)程度で失われるので、この程度の使用回数で交換するのが適当である。
【００１８】
本考案では、以下の技術的範囲も含まれる。
（１）基板2は円形のみでなく、変形(四角形(図６)、六角形(図７)、八角形、楕円形、花びら状(図８)など)でもよいので、これに対応して、円形粘着片は四角形(図６)、六角形(図７)、八角形、楕円形、花びら状(図８)でもよい。  
（２）円形粘着片は、全面でなくとも、ゴルフボールを取り上げる保持力があればよく、点状又は筋状に欠陥部があるものも含まれる。
（３）粘着片５は全面でなくても又テープでなくても、クッション層の両面に接着面を有したものも含まれる。
【００１９】
本考案をさらに詳細に説明すると、ゴルフボール１０を粘着力により保持可能な本考案のボールマーカー１は、成形したものが一般的であるが、マーカーの材質は、木材等の有機物、アルミ等の非鉄金属、鉄等の金属、セラミック等の無機物等の適宜の素材でよい。円盤状の基板２と該基板２の下面側から垂下し、グリーン面に埋め込み可能なピン状の埋め込み部３を一体成型したもので、拾い上げる前にゴルフボール１０やパークゴルフボールの位置を示すマーカーとして用いる。
【００２０】
基板２は、図1のような円形状で、基板２の天面には、粘着剤によって貼着された粘着片５が載置されている。粘着片５の上面には、粘着性を有するクッション層１２の表面を保護するための剥離紙１３が配置されている。
図２は、粘着片５の斜視図で、粘着片５の中心に小穴６を設け、基板２の凹面に貼着している。
図３は、ボールマーカーの斜視図を示すが、前記基板2の凹面にはゴルフボール１０の曲率半径と略同等であるので、接着時の圧力がゴルフボールと粘着片５の全面に押圧され、接着部の効果が向上する。
また、粘着片５の上端部は基板の外周上端部より低く(a)設定することで、ボールマーカーの粘着片５が直接ゴルフバックの底面に触れることがないので、外れたり、ゴミの付着の危険は少ない。
【００２１】
図４は、ボールマーカーを取り付けるためのグリップエンドで、本考案のボールマーカー１は、ゴルフクラブ7のグリップ８のエンド部の小孔９にピン状埋め込み部３を差し込む。
図５は、本考案のゴルフボールピックアップ時の全体の縦断面の使用図であり、カップ１１内のゴルフボール１０を取り出すには、ボールマーカー１をグリップエンド部に設けられた小孔９にピン状埋め込み部３を挿し込んで取り付ける。このとき、グリップ８をカップ１１の中に入れ、ゴルフボール10の天面に、腰をかがめることのない姿勢で押し付け粘着接着し、ゴルフクラブ７を引き上げることによりゴルフボール１０を取り出す。ボールマーカー１はゴルフクラブ７に付けたまま、次のホールに移動する。
【００２２】
また、ゴルフボール１０を粘着片５の小孔に取り付けたボールマーカー１で、ゴルフボール１０を取り出す。この場合、粘着片小孔6とゴルフボール１０の間に空気溜りが出来にくく、粘着力が向上する。
粘着片５の外形は、φ8mm〜φ12mmであるので、ボールマーカー１は両面接着部が中に収まる大きさであるため、グリップ８の径より大きくなることはなく、グリップ８の径で収まるので、ゴルフクラブ７の持ち運びに邪魔にならなく、且つゴルフボール１０を拾い上げるに十分な保持力を保つのである。
【図面の簡単な説明】
【００２３】
【図１】本考案のボールピックアップ用マーカーの斜視図
【図２】小穴を設けた粘着片の斜視図
【図３】ボールピックアップ用マーカー断面図
【図４】ゴルフグリップ部の断面図
【図５】ボールをピックアップする使用方法図
【図６】本案他の実施例、四角形の基板と粘着片
【図７】本案他の実施例、六角形の基板と粘着片
【図８】本案他の実施例、花びら状の基板と粘着片
【符号の説明】
【００２４】
１．ボールマーカー
２．  基板
３．ピン状埋め込み部
４．凹面
５．粘着片
６．粘着片小孔
７．ゴルフクラブ
８．グリップ
９．グリップエンド部の小孔
１０．ゴルフボール
１１．カップ
１２．クッション層
１３.  剥離紙
ａ    ギャップ 
【図１】
0003129271.tif 000003
【図２】
0003129271.tif 000004
【図３】
0003129271.tif 000005
【図４】
0003129271.tif 000006
【図５】
0003129271.tif 000007
【図６】
0003129271.tif 000008
【図７】
0003129271.tif 000009
【図８】
0003129271.tif 000010